(57)【要約】      （修正有）【課題】  画像表示部によって画像を表示させつつ、記憶部のフレームバッファ領域を除く残余の領域に、より多くのデータを記憶させることができる情報処理装置を提供すること。【解決手段】  システム記憶部５の空き容量が予め定める量未満になったとき、画像の階調数を低減するように、表示用データ記憶領域２２に記憶される画像データのデータ量を減少させて、表示用データ記憶領域２２の容量を減少させるので、画像表示部１１に表示される画像のサイズはそのままで、画像データのデータ量を低減して、システム記憶部５における空き容量を増加させることができる。画像の諧調数を減少するように、画像データのデータ量を変更するという簡単な処理によって、画像データのデータ量を低減することができるので、メモリデータ管理部１３は、システム記憶部５の空き容量が予め定める量未満になると迅速に、システム記憶部５の空き容量を増加させることができる。【選択図】      図１
2007108353.tif 000002
【特許請求の範囲】
【請求項１】
画像データを１フレーム単位で記憶するフレームバッファ領域と、前記フレームバッファ領域を除く残余の領域とを有する記憶部と、
フレームバッファ領域に記憶される画像データを画像として表示する表示部と、
前記記憶部の空き容量の変化によって、前記記憶部の空き容量が予め定める値未満に減少すると判定した予め定めるタイミングで、前記フレームバッファ領域に記憶されるべき画像データに、１フレーム単位でデータ量を低減する予め定めるデータ処理を行う記憶管理部とを含むことを特徴とする情報処理装置。
【請求項２】
前記記憶管理部は、予め定めるデータ処理によって、前記画像表示部に表示される画像の階調数を低減するように、前記画像データのデータ量を低減することを特徴とする請求項１記載の情報処理装置。
【請求項３】
前記記憶管理部は、予め定めるデータ処理によって、前記画像表示部に表示される画像のサイズを縮小するように、前記画像データのデータ量を低減することを特徴とする請求項１記載の情報処理装置。
【請求項４】
前記記憶管理部は、予め定めるデータ処理によって、前記画像表示部に表示される画像の階調数を低減し、かつ画像のサイズを縮小するように、前記画像データのデータ量を低減することを特徴とする請求項１記載の情報処理装置。
【請求項５】
前記記憶管理部は、前記記憶部の空き容量が予め定める値未満になったとき、前記記憶部の空き容量が予め定める値未満に減少すると判定することを特徴とする請求項１〜４のいずれか１つに記載の情報処理装置。
【請求項６】
前記記憶管理部は、前記記憶部に記憶されるべきデータのデータ量に基づいて、前記記憶部の空き容量が予め定める値未満に減少すると予測したとき、前記記憶部の空き容量が予め定める値未満に減少すると判定することを特徴とする請求項１〜５のいずれか１つに記載の情報処理装置。
【発明の詳細な説明】
【技術分野】
【０００１】
本発明は、画像表示部を有する情報処理装置に関する。
【背景技術】
【０００２】
たとえば液晶表示装置に代表されるような高階調度で画像を表示する画像表示装置では、画像を表示するために必要な画像データのデータ量がますます大きくなる傾向にある。画像データのデータ量が大きくなると、画像表示装置の駆動回路において必要とされるメモリの容量が多くなるという問題がある。
【０００３】
このような問題に鑑み従来の技術では、同時に選択される走査線の数の自然数倍の走査線を含む複数のブロックに画面を分けて生成される画面ブロック上で表示されるデータを読み書き可能な容量を持つ複数のメモリブロックに分けて、駆動回路が液晶表示素子に対応した画像データを各ブロックに書き込む制御を行うとともに書き込み対象になっていないブロックから順次画像データを読み出すことによって、メモリとしてＤＲＡＭを使用しつつ実質的に高いフレーム周波数でメモリからデータを読み出している（たとえば特許文献１参照）。
【０００４】
【特許文献１】特開平９−６１７８５号公報
【発明の開示】
【発明が解決しようとする課題】
【０００５】
従来の技術では、液晶表示素子に表示される１画面分の画像データのデータ量は一定であるので、フレームバッファと、他のデータを記憶するメモリとを兼用すると、記憶部にデータを記憶させる動作に制約を与えてしまうという問題がある。たとえば、液晶表示素子を備えるファクシミリ装置において、メモリにファクシミリ通信によって受信したデータを記憶させる場合、メモリの容量のうち液晶表示素子に表示される画像を表す画像データのデータ量を除いた容量分だけ受信データを記憶することができるが、この容量分を超えるときには、ファクシミリ通信を停止して、データを受信しない制約が与えられている。
【０００６】
本発明の目的は、記憶部の空き容量の変化に伴って生じる記憶部へのデータの記憶処理の規制を緩和して、画像表示部によって画像を表示させつつ、記憶部のフレームバッファ領域を除く残余の領域に、より多くのデータを記憶させることができる情報処理装置を提供することである。
【課題を解決するための手段】
【０００７】
本発明は、画像データを１フレーム単位で記憶するフレームバッファ領域と、前記フレームバッファ領域を除く残余の領域とを有する記憶部と、
フレームバッファ領域に記憶される画像データを画像として表示する表示部と、
前記記憶部の空き容量の変化によって、前記記憶部の空き容量が予め定める値未満に減少すると判定した予め定めるタイミングで、前記フレームバッファ領域に記憶されるべき画像データに、１フレーム単位でデータ量を低減する予め定めるデータ処理を行う記憶管理部とを含むことを特徴とする情報処理装置である。
【０００８】
また本発明は、前記記憶管理部は、予め定めるデータ処理によって、前記画像表示部に表示される画像の階調数を低減するように、前記画像データのデータ量を低減することを特徴とする。
【０００９】
また本発明は、前記記憶管理部は、予め定めるデータ処理によって、前記画像表示部に表示される画像のサイズを縮小するように、前記画像データのデータ量を低減することを特徴とする。
【００１０】
また本発明は、前記記憶管理部は、予め定めるデータ処理によって、前記画像表示部に表示される画像の階調数を低減し、かつ画像のサイズを縮小するように、前記画像データのデータ量を低減することを特徴とする。
【００１１】
また本発明は、前記記憶管理部は、前記記憶部の空き容量が予め定める値未満になったとき、前記記憶部の空き容量が予め定める値未満に減少すると判定することを特徴とする。
【００１２】
また本発明は、前記記憶管理部は、前記記憶部に記憶されるべきデータのデータ量に基づいて、前記記憶部の空き容量が予め定める値未満に減少すると予測したとき、前記記憶部の空き容量が予め定める値未満に減少すると判定することを特徴とする。
【発明の効果】
【００１３】
本発明によれば、記憶部は、フレームバッファ領域と、フレームバッファ領域を除く残余の領域とを有する。フレームバッファ領域には、画像データが１フレーム単位、すなわち１画面単位で記憶されており、表示部には、フレームバッファ領域に記憶される画像データが画像として表示される。
【００１４】
記憶部の空き容量は、記憶部に記憶されるデータのデータ量によって変化する。記憶管理部は、記憶部の空き量容量が変化して、記憶部の空き容量が予め定める値未満に減少すると判定した予め定めるタイミングで、前記フレームバッファ領域に記憶されるべき画像データに、１フレーム単位でデータ量を低減する予め定めるデータ処理を行うので、記憶部の空き容量が減少してしまい、記憶部にデータを記憶できなくなってしまう前に、フレームバッファ領域の画像データのデータ量を低減し、フレームバッファ領域の容量を縮小して、記憶部の空き領域の容量を増加させることができる。これによって、記憶部のフレームバッファ領域を除く残余の領域に、より多くのデータを記憶させることができるので、記憶部の記憶容量を増加させなくても、画像表示部に画像を表示させながら、限られた容量の記憶部への記憶処理の制約を緩和させることができる。
【００１５】
予め定めるデータ処理では、１フレーム単位でデータ量を低減するので、このデータ処理によって記憶部の空き容量を、予め定めるデータ処理を行う前の画像データのデータ量から、予め定めるデータ処理を行った後の画像データのデータ量を減算した分だけ増加させることができるとともに、１フレーム分の画像データは、データ量が減少するだけで、全て無くなってしまうことがないので、画像表示部ではデータ量が低減された画像データによって画像を表示させることができる。
【００１６】
また本発明によれば、記憶管理部が、画像表示部によって表示される画像の階調数を低減するように、フレームバッファ領域に記憶される画像データのデータ量を変更して、フレームバッファ領域の容量を減少させるので、画像表示部に表示される画像のサイズはそのままで、画像データのデータ量を低減して、記憶部における空き容量を増加させることができる。画像データのデータ量は、画像の階調数が多くなればなるほど大きくなる。画像の諧調数を低減するように、画像データのデータ量を変更するという簡単な処理によって、画像データのデータ量を低減することができるので、記憶管理部は、記憶部の空き容量を迅速に増加させることができ、これによって画像表示部に表示される画像を、諧調数が低減された画像に円滑に切替えて表示させることができる。
【００１７】
また本発明によれば、記憶管理部が、画像表示部によって表示される画像のサイズを縮小するように、フレームバッファ領域に記憶される画像データのデータ量を低減させて、フレームバッファ領域の容量を減少させるので、階調数を低減させなくても、画像データのデータ量を低減して、記憶部における空き容量を増加させることができる。画像データのデータ量は、画像のサイズが大きくなればなるほど大きくなる。画像のサイズを縮小するように、画像データのデータ量を低減するという簡単な処理によって、画像データのデータ量を低減することができるので、記憶管理部は、記憶部の空き容量を迅速に増加させることができ、これによって画像表示部に表示される画像を、サイズが縮小された画像に円滑に切替えて表示させることができる。
【００１８】
また本発明によれば、表示管理部が、画像表示部によって表示される画像の階調数を低減するように、かつ画像表示部によって表示される画像のサイズを縮小するように、フレームバッファ領域に記憶される画像データのデータ量を低減して、フレームバッファ領域の容量を減少させるので、記憶部における空き容量を大きく増加させることができる。画像データのデータ量は、画像の階調数が多くなればなるほど、また画像のサイズが大きくなればなるほど大きくなる。画像の階調数を低減し、かつ画像のサイズを縮小するように、画像データのデータ量を変更するという簡単な処理によって、画像データのデータ量を低減することができるので、記憶管理部は、記憶部の空き容量を迅速に増加させることができ、これによって表示制御部が、画像表示部に表示される画像を、諧調数が低減され、かつサイズが縮小された画像に円滑に切替えて表示させることができる。
【００１９】
また本発明によれば、記憶管理部は、記憶部の実際の空き容量が予め定める値未満になったときに、予め定めるデータ処理を行って画像データのデータ量を低減して、フレームバッファ領域の容量を縮小することができる。記憶部の実際の空き容量が予め定める値未満になったときに、予め定める処理を行うことによって、空き容量が実際に少なくなったときにだけ、フレームバッファ領域の容量を縮小することができる。
【００２０】
また本発明によれば、記憶部にデータを記憶することができなくなってしまうことを事前に予測して、フレームバッファ領域の容量を縮小することができる。記憶管理部は、空き容量をデータに付加されているヘッダなどに記憶されるデータ量を表す情報に基づいて予測する。前記記憶部の空き容量が予め定める値未満に減少すると予測したときに、予め定める処理を行うことによって、記憶部にデータを記憶している途中で空き容量が無くなってしまい、データを記憶することができなくなってしまうことを防止することができる。
【発明を実施するための最良の形態】
【００２１】
図１は、本発明の実施の一形態の情報処理装置１の構成を示すブロック図である。情報処理装置１は、ファクシミリ通信機能および電話通信機能を有する電話通信機能付きファクシミリ装置である。情報処理装置１は、光電変換部２と、画像データアナログ／デジタル（Ａ／Ｄ）変換部３と、２値化画像処理部４と、システム記憶部５と、印刷部６と、網制御部７と、通信部８と、音声出力制御部９と、音声出力部１０と、画像表示部１１と、表示制御部１２と、メモリデータ管理部１３と、主制御部１４と、操作入力部１５と、ハンドセット１６と、レンズ１７と、原稿送り部１８と、時刻データ生成部１９を含む。
【００２２】
光電変換部２は、ＣＣＤ（Charge Coupled Device）イメージセンサによって実現されるラインイメージセンサを含んで構成され、主制御部１４からの制御指令に基づいて動作し、レンズ１７であるマイクロレンズアレイを介して、原稿２１を光学的に走査して読取って、アナログ信号で表される画像データを生成する。光電変換部２は、生成したアナログ信号の画像データを画像データＡ／Ｄ変換部３に与える。
【００２３】
画像データＡ／Ｄ変換部３は、主制御部１４からの制御指令に基づいて動作し、光電変換部２から与えられるアナログ信号を標本化および量子化することによって、デジタル信号に変換する。画像データＡ／Ｄ変換部３によって、デジタル信号で表される画像データが生成される。画像データＡ／Ｄ変換部３は、デジタル信号で表される画像データを、２値化画像処理部４に与える。画像データＡ／Ｄ変換部３から出力される画像データによってグレースケール画像が表される。
【００２４】
２値化画像処理部４は、主制御部１４からの制御指令に基づいて動作し、画像データＡ／Ｄ変換部３から与えられる画像データを２値化処理して、２値化画像の画像データを生成する。２値化画像処理部４は、生成された２値化画像の画像データをシステム記憶部５に与える。
【００２５】
システム記憶部５は、予め定める記憶容量のメモリを含んで構成される。メモリは、たとえばＲＡＭ（Random Access Memory）によって実現される。システム記憶部５は、フレームバッファ領域である表示用データ記憶領域２２と、表示用データ記憶領域２２を除く残余の容量とに分けられている。システム記憶部５は、主制御部１４からの制御指令に基づいて動作し、２値化画像処理部４によって２値化処理された画像データ、通信部８から与えられる各種入力データ、および操作入力部１５から与えられる入力データを含む外部データを記憶する。通信部８から与えられる各種入力データは、ファクシミリ通信によって受信される画像データおよび音声データなどである。操作入力部１５から与えられるデータは、ファクシミリ装置１の設定データ、電話番号データおよびファクシミリ番号データなどである。またシステム記憶部５は、時刻を表す画像データおよび待機状態で画像表示部１１に画像を表示するための画像データなどの予め記憶された画像データを記憶している。
【００２６】
システム記憶部５の表示用データ記憶領域２２には、画像データが１フレーム単位、すなわち１画面単位で記憶される。表示用データ記憶領域２２を除く残余の領域には、少なくとも前記外部データが記憶される。システム記憶部５の表示用データ記憶領域２２を除く残余の領域には、具体的には主制御部１４が情報処理装置１を制御するための制御プログラム、２値化画像処理部４によって２値化処理された画像データ、通信部８から与えられる各種入力データ、ファクシミリ装置１における設定データ、電話番号データ、ファクシミリ番号データおよび時刻を表す画像データなどが記憶される。このシステム記憶部５の表示用データ記憶領域２２を除く残余の領域に記憶されるデータは、ファイル化されている。ファイルのヘッダには、ファイルのデータ量を表す情報が付加されている。
【００２７】
本実施の形態では表示用データ記憶領域２２には、１フレーム分の画像データが記憶される。表示用データ記憶領域２２には、ビットマップ形式でデータが記憶されており、画像表示部１１の１フレーム分の画像の、各画素の色成分の階調値を表すデータが記憶される。本実施の形態では、システム記憶部５のＲＡＭは、システムメモリとＶＲＡＭ（
Video RAM）との役割を兼ねている。
【００２８】
印刷部６は、プリンタ装置を含んで実現され、主制御部１４からの制御指令に基づいて動作し、システム記憶部５に記憶される画像データを読み込み、この画像データによって記録材である記録紙に画像を印刷する。本実施の形態において、印刷部６は、カラー画像を印刷可能なインクジェット方式のプリンタ装置によって実現される。
【００２９】
網制御部７は、公衆回線網である伝送路２３と接続され、伝送路２３に接続されている交換機に対し回線を接続したり、通信相手側の電話番号およびファクシミリ番号を通知したり、通信を切断したりする。通信状態では、網制御部７は伝送路２３を介して伝送されるファクシミリデータおよび音声データを受信して通信部８に与え、また通信部８から与えられるファクシミリデータおよび音声データを、伝送路２３に送信する。
【００３０】
通信部８は、主制御部１４から与えられる制御指令に基づいて動作し、ファクシミリ送信時には、ＭＨ（Modified Huffman）符号化方式およびＭＲ(Modified Read)符号化方式などの予め定める符号化方法によって送信すべき画像データを圧縮し、通信情報としてフォーマット化を行ってファクシミリデータを生成して、圧縮された画像データを含むファクシミリデータを網制御部８に与える。また通信部８は、ファクシミリ受信時には、ファクシミリ送信時とは逆の処理を行い、つまりファクシミリデータに含まれる画像データを予め定める復号化方法によって伸張して、システム記憶部８に与える。通信部８は、留守番電話モードとなっているときに、伝送路２３から到来する音声データをシステム記憶部５に記憶させる。
【００３１】
音声出力制御部９は、主制御部１４から与えられる制御指令に基づいて動作し、システム記憶部５に記憶されている音声データを読み出して、アナログ信号で表される音声データに変換する処理を行って、音声出力部１０に与える。
【００３２】
音声出力部１０は、音声出力制御部９から与えられる音声データに基づいて、音を出力する。音声出力部１０は、スピーカによって実現される。
【００３３】
画像表示部１１は、カラー画像を表示可能に構成される。画像表示部１１は、たとえば液晶表示パネルによって実現される。画像表示部１１は、矩形状の表示面を有し、横方向にＮ画素（Ｎは自然数）であり、縦方向にＭ画素（Ｍは自然数）である予め定める画素数（Ｎ×Ｍ）以下で表される画像を表示することができる。
【００３４】
表示制御部１２は、主制御部１４からの制御指令に基づいて動作し、システム記憶部５の表示用データ記憶領域２２を除く残余の領域に記憶されている画像データを表示用データ記憶領域２２に転送して、表示用データ記憶領域２２に記憶される画像データを読み出して、読み出した画像データに画像表示部１１に画像として表示させる。本実施の形態では、画像表示部１１が液晶表示パネルによって実現されているので、画像表示制御部１１はＬＣＤ（Liquid Crystal Display）コントローラによって実現される。画像表示部１１および表示制御部１２を含んで表示部が構成される。
【００３５】
メモリデータ管理部１３は、主制御部１４からの制御指令に基づいて動作し、システム記憶部５の空き容量の変化によって、システム記憶部５の空き容量が予め定める値未満に減少すると判定した予め定めるタイミングで、表示用データ記憶領域２２に記憶されるべき画像データに、１フレーム単位でデータ量を低減する予め定めるデータ処理を行うことによって、表示用データ記憶領域２２の容量を縮小する。システム記憶部５の空き容量は、システム記憶部５の全記憶領域のうち、データが記憶されていない領域の容量である。メモリデータ管理部１３は、中央演算処理装置（Central Processing Unit：略称ＣＰＵ）を含んで実現され、中央演算処理装置がシステム記憶部５に記憶される制御プログラムを実行することによって実現される。メモリデータ管理部１３は、システム記憶部５の空き容量を監視し、空き容量が予め定める量未満になったとき、表示用データ記憶領域２２に記憶されるべき画像データに、予め定めるデータ処理を行う。予め定めるデータ処理については、後述する。メモリデータ管理部１３は、システム記憶部５における表示用データ記憶領域２２をアドレスおよび容量によって指定する。システム記憶部５の全記憶領域のうち、メモリデータ管理部１３によって指定されたアドレスから、指定された容量分の領域が、表示用データ記憶領域２２となる。メモリデータ管理部１３は、表示用データ記憶領域２２の容量を減少させるときに、この表示用データ記憶領域２２に画像データが記憶されていると、この画像データに予め定めるデータ処理を行う。
【００３６】
主制御部１４は、情報処理装置１の各部、具体的には光電変換部２と、画像データＡ／Ｄ変換部３と、２値化画像処理部４と、システム記憶部５と、印刷部６と、通信部８と、音声出力制御部９と、表示制御部１２と、メモリ管理部１３と、操作入力部１５と、原稿送り部１８とを制御する。主制御部１４は、中央演算処理装置が、システム記憶部５に記憶される制御プログラムを実行することによって実現され、前記各部に制御指令を与えて、前記各部を制御する。情報処理装置１は、さらに制御プログラムが記憶されるＲＯＭ（
Read Only Memory）を有する。情報処理装置１の電源を投入すると、主制御部１４は、このＲＯＭに記憶される制御プログラムを、システム記憶部５にコピーする。主制御部１４は、システム記憶部５に記憶される制御プログラムを読み出して実行することによって、ファクシミリ送信モード、ファクシミリメモリ受信モード、電話通信モード、原稿読取モード、留守番録音モード、および電話番号およびファクシミリ番号記憶モードなどで装置の各部を制御する。ファクシミリ送信モードでは、ファクシミリデータの送信を行うように主制御部１４が装置の各部を制御する。ファクシミリメモリ受信モードでは、受信したファクシミリデータに含まれる画像データをシステム記憶部５に記憶させるように主制御部１４が装置の各部を制御する。電話通信モードでは、電話通信するように主制御部１４が装置の各部を制御する。原稿読取モードでは、原稿２１を読取って、生成された画像データをシステム記憶部５に記憶させるように主制御部１４が装置の各部を制御する。留守番録音モードでは、受信した音声データをシステム記憶部５に記憶させるように主制御部１４が装置の各部を制御する。電話番号およびファクシミリ番号記憶モードでは、操作入力部１５から入力された電話番号データおよびファクシミリ番号データなどをシステム記憶部５に記憶させるように主制御部１４が装置の各部を制御する。
【００３７】
操作入力部１５は、操作キーを有する操作パネルを含んで構成される。操作キーを操作することによって、利用者は操作キーに対応する指令を入力することができる。入力される指令は、主制御部１４に与えられる。操作キーは、テンキーおよびファンクションキーを有する。ファンクションキーは、ファクシミリ送信キー、原稿読取キーおよび留守番録音キーなどを含む。
【００３８】
情報処理装置１において、ファクシミリ送信モード、原稿読取モード、留守番録音モード、および電話番号およびファクシミリ番号記憶モードなどの、アプリケーションの専用モードへの移行は、操作入力部１５に含まれるファンクションキーを操作することによって行われる。たとえば原稿の読取動作は、操作入力部１５によって、ファクシミリ通信を行うための操作手順の中で操作される原稿読取キーが操作されることによって行われる。ファクシミリ送信モードへの移行は、ファクシミリ送信キーが操作されることによって行なわれ、留守番録音モードへの移行は、留守番録音キーが操作されることによって行われる。
【００３９】
ハンドセット１６は、スピーカおよびマイクロフォンを含んで構成され、通信部８に接続される。ハンドセット１６は、装置に設けられる載置部に着脱自在に載置される。電話通信モードでは、主制御部１４は、操作入力部１５を操作することによって与えられる通信先の電話番号データに基づいて、網制御部７に回線を接続させ、ハンドセット１６から入力される音声信号は、通信部８に与えられて、網制御部７から通信相手先に伝送路２３によって伝送される。伝送路２３を介して電話通信およびファクシミリ通信を行っていないときに、ハンドセット１６を載置部から取り外すことによって、主制御部１４は電話通信モードで、装置の各部を制御する。電話通信モードにおいて、伝送路２３を介して通信部８に与えられる音声信号は、ハンドセット１６に与えられて、ハンドセット１６から音声として出力される。
【００４０】
原稿送り部１８は、原稿送り装置（Auto Document Feeder：略称ＡＤＦ）によって実現される。原稿送り部１８は、主制御部１４からの動作指令に基づいて動作し、複数の原稿２１を光電変換部２に読取らせるために、光電変換部２が原稿２１を読取る領域に原稿２１を１枚ずつ搬送する。
【００４１】
時刻データ生成部１９は、計時手段であるリアルタイムクロックを含んで構成され、時刻を計時し、時刻を表す画像データを生成する。
【００４２】
前記光電変換部２、画像データＡ／Ｄ変換部３、２値化画像処理部４およびレンズ１７を含んで第１のデータ入力部３１が構成され、網制御部７および通信部８を含んで第２のデータ入力部３２が構成される。また操作入力部１５を含んで第３のデータ入力部３４が構成される。情報処理装置１では、第１〜第３のデータ入力部３１〜３３によって入力されたデータを、システム記憶部５に記憶することができる。主制御部１４は、システム記憶部５に記憶される制御プログラムに含まれるアプリケーションプログラムを実行することによって、第１のデータ入力部３１によって入力される画像データをシステム記憶部５に記憶させ、また第２のデータ入力部３２によって入力されたデータをシステム記憶部５に記憶させ、さらに第３のデータ入力部３３によって入力されたデータをシステム記憶部５に記憶させる。前記アプリケーションプログラムとしては、読取動作モードにおいて、原稿送り部１８および第１のデータ入力部３１を用いて、ＡＤＦ機能によって、画像データをシステム記憶部５に記憶させるための読取動作プログラム、ファクシミリメモリ受信モードにおいて、第２のデータ入力部３２によって入力される画像データをシステム記憶部５に記憶させるためのメモリ受信プログラム、留守番録音モードにおいて、第２のデータ入力部３２によって入力される音声データをシステム記憶部５に記憶させるための留守番録音プログラム、ならびに電話番号およびファクシミリ番号記憶モードにおいて、電話番号データおよびファクシミリ番号データなどをシステム記憶部５に記憶させるための電話帳登録プログラムなどがある。
【００４３】
主制御部１４において読取動作プログラムを実行すると、読取動作モードとなり、原稿送り部１８によって原稿２１が搬送され、原稿２１を光電変換部２によって光学的に走査して読取った画像データをシステム記憶部５に記憶するメモリコピー動作が行われる。読取動作モードでは、光電変換部２、画像データＡ／Ｄ変換部３および２値化画像処理部４をこの順番で経て、画像データがシステム記憶部５に記憶される。具体的には、原稿２１の画像を光電変換部２によって読取り、画像データがアナログ信号として、画像データＡ／Ｄ変換部３に転送される。画像データを表すアナログ信号は、画像データＡ／Ｄ変換部３によってデジタル信号に変換されて、２値化画像処理部４に与えられ、２値化画像処理部４によって、２値化されてシステム記憶部５に蓄積される。２値化画像処理部４からシステム記憶部５に与えられる画像データは、システム記憶部５の空き容量が無くなるまで、許容される限り蓄積される。
【００４４】
画像表示部１１によって表示する場合は、表示制御部１２によって表示すべき画像データを、システム記憶部５の表示用データ記憶領域２２を除く残余の領域から表示用データ記憶領域２２に転送させて、この表示用データ記憶領域２２に記憶される画像データを、表示制御部１２が画像表示部１１に画像として表示させる。システム記憶部５に記憶される画像データを印刷する場合は、システム記憶部５に記憶される画像データを印刷部２２に転送して、印刷部６に印刷させる。またシステム記憶部５に記憶される画像データをファクシミリ送信する場合、システム記憶部５の画像データは、通信部８に転送され、通信部８によってファクシミリ通信手順の送信処理を行った後、画像データは指定された転送先へ伝送路２３を介して網制御部７よって伝送される。
【００４５】
主制御部１４においてメモリ受信プログラムを実行すると、ファクシミリメモリ受信モードとなり、伝送路２３を介してファクシミリ受信した画像データをシステム記憶部５に記憶するメモリ代行受信動作が行われる。ファクシミリメモリ受信モードでは、伝送路２３を伝送されるファクシミリデータに含まれる画像データが、網制御部７および通信部８をこの順番で経てシステム記憶部５に記憶される。具体的には、伝送路２３によって伝送される画像データを含むファクシミリデータは、網制御部７によって受信される。網制御部７は、通信部８に受信したファクシミリデータを送り、通信部８はファクシミリ通信の手順に基づいて受信処理を行い、システム記憶部５に画像データを与える。通信部８からシステム記憶部５に与えられる画像データは、システム記憶部５の空き容量が無くなるまで、許容される限り蓄積される。
【００４６】
主制御部１４において留守番録音プログラムを実行すると、留守番録音モードとなり、伝送路２３を介して受信した音声データをシステム記憶部５に記憶する留守番録音動作が行われる。留守番録音モードでは、伝送路２３を伝送される音声データをシステム記憶部２２に記憶する。留守番録音モードでは、伝送路２３を介して与えられる音声データは、網制御部２３よって受信され、通信部８に転送される。通信部８は、音声データＡ／Ｄ変換部を有し、網制御部７から与えられるアナログ信号で表される音声データを、デジタル信号で表される音声データに変換して、システム記憶部５に転送する。システム記憶部５に記憶される音声データが表す音声を出力する場合、システム記憶部５から、音声出力制御部９に音声データを転送する。音声出力制御部９は、伸長処理部および音声データＤ／Ａ変換部を有し、システム記憶部５から与えられる圧縮された音声データを伸張処理部によって伸張して、デジタル信号で表される音声データを、アナログ信号で表される音声データに変換して、音声データが表す音を、音声出力部１０から出力させる。
【００４７】
情報処理装置１では、システム記憶部５に記憶さているデータのデータ量が、システム記憶部５の全容量に占める割合に応じて、言い換えればシステム記憶部５の空き容量に応じて、メモリデータ管理部１３が、システム記憶部５の表示用データ記憶領域２２の容量を変更する。
【００４８】
図２は、システム記憶部５にデータが記憶されるときのメモリデータ管理部１３の動作処理を示すフローチャートである。ここではステップＳ０において、システム記憶部５の空き容量が、予め定める量以上であり、かつ表示用データ記憶領域２２の容量が最大となっている。ステップＳ０における表示用データ記憶領域２２の容量をＣ１とする。情報処理装置１では、主制御部１４が、時刻データ生成部１９によって生成される時刻を表す画像データを、システム記憶部５に更新して記憶させる。システム記憶部５に記憶される時刻を表す画像を更新する予め定める間隔Ｔ１は、たとえば１分に選ばれる。表示制御部１２は、予め定める間隔Ｔ１毎に時刻を表す画像データを表示用データ記憶領域２２に転送する。ステップＳ０では、表示制御部１２は、表示用データ記憶領域２２に記憶される時刻を表す画像データを画像表示部１１に画像として表示させている。
【００４９】
操作入力部１５から前述した読取動作モードとなる制御プログラムを実行する指令が入力されるか、ファクシミリメモリ受信モードにおいてファクシミリ通信によってファクシミリデータが伝送路２３を介して与えられるか、留守番録音モードとなる制御プログラムを実行する指令が入力された後、電話通信によって音声データが伝送路２３を介して与えられるか、あるいは電話番号およびファクシミリ番号記憶モードとなる制御プログラムを実行する指令が入力されると、主制御部１４からメモリデータ管理部１３に動作指令が与えられて、ステップＳ０からステップＳ１に移る。
【００５０】
読取動作モード、ファクシミリメモリ受信モードまたは留守番録音モード、あるいは電話番号およびファクシミリ番号記憶モードになると、主制御部１４は、第１のデータ入力部３１または第２のデータ入力部３２あるいは第３のデータ入力部３３と、システム記憶部５とを制御して、システム記憶部５へデータの記憶を開始する。読取動作モードでは、主制御部１４が第１のデータ入力部３１およびシステム記憶部５を制御して、原稿２１を読取らせて、画像データをシステム記憶部５の表示用データ記憶領域２２を除く領域に記憶させる。ファクシミリメモリ受信モードでは、主制御部１４が第２のデータ入力部３２およびシステム記憶部５を制御して、ファクシミリデータを受信させて、受信したファクシミリデータに含まれる画像データをシステム記憶部５の表示用データ記憶領域２２を除く領域に記憶させる。留守番録音モードでは、主制御部１４が第２のデータ入力部３２およびシステム記憶部５を制御して、音声データを受信させ、受信した音声データを圧縮させて、システム記憶部５の表示用データ記憶領域２２を除く領域に記憶させる。電話番号およびファクシミリ番号記憶モードでは、主制御部１４がシステム記憶部５を制御して第３のデータ入力部３３から入力されるデータをシステム記憶部５の表示用データ記憶領域２２を除く領域に記憶させる。
【００５１】
ステップＳ１では、メモリデータ管理部１３は、システム記憶部５を監視して、システム記憶部５の空き容量が、予め定める値未満になったか否かを判断する。ステップＳ１で、メモリデータ管理部１３が、システム記憶部５の空き容量が、予め定める値未満になっていないと判断すると、ステップＳ２に移る。
【００５２】
ステップＳ２では、メモリデータ管理部１３は、システム記憶部５にデータを記憶させる処理が終了したか否かを判断する。システム記憶部５にデータを記憶させる処理が終了したと判断すると、主制御部１４はメモリデータ管理部１３に、システム記憶部５にデータを記憶させる処理が終了したことを表す終了情報を与える。メモリデータ管理部１３は、主制御部１４から終了情報を受取ったか否かによって、システム記憶部５にデータを記憶させる処理が終了したか否かを判断する。ステップＳ２において、システム記憶部５にデータを記憶させる処理が終了したと判断した場合、ステップＳ３に移り動作処理を終了する。ステップＳ２において、システム記憶部５にデータを記憶させる処理が終了していないと判断した場合、ステップＳ１に移る。
【００５３】
ステップＳ１において、メモリデータ管理部１３が、システム記憶部５の空き容量が、予め定める値以上から、予め定める値未満になったと判断すると、ステップＳ４に移る。前記予め定める値は、システムに応じた値であり、たとえば、音声録音時間、および読み取り画像データの受信枚数など、製品の仕様に応じ、それを満たす仕様の範囲で決定される。たとえば、予め定める値は、１枚の原稿２１を読取ったときに生成される画像データのデータ量よりも大きく選ばれ、かつ１枚のファクシミリ画像の画像データのデータ量よりも大きく選ばれ、さらに１回の留守番録音によって記憶される音声データのデータ量よりも大きく選ばれる。
【００５４】
ステップＳ４では、メモリデータ管理部１３は、表示用データ記憶領域２２に記憶されている画像データに、１フレーム単位でデータ量を低減する予め定めるデータ処理を行ってデータ量を低減して、ステップＳ５に移る。前記予め定めるデータ処理については、後述する。
【００５５】
ステップＳ５では、メモリデータ管理部１３が、表示用データ記憶領域２２の容量を縮小して、ステップＳ３に移る。ステップＳ５では、メモリデータ管理部１３が、システム記憶部５のうち、表示用データ記憶領域２２となるアドレスおよび容量を指定することによって、表示用データ記憶領域２２の容量を縮小させる。ステップＳ５の処理の終了後の表示用データ記憶領域２２の容量をＣ２とすると、Ｃ２＜Ｃ１となる。Ｃ１からＣ２を減算した値は、ステップＳ０において表示用データ記憶領域２２に記憶されている画像データのデータ量から、ステップＳ４において、データ量が低減された画像データのデータ量を減算した値に等しい。ステップＳ５の処理が終了すると、ステップＳ３に移り処理動作を終了する。表示用データ記憶領域２２の容量を減少させることによって、制御プログラムを実行したときに、第１または第２のデータ入力部３１，３２あるいは第３のデータ入力部３３によって入力されるデータを記憶する部分の記憶容量を増加させることができる。
【００５６】
システム記憶部５に画像データが記憶されている間、システム記憶部５の空き容量が予め定める量以上であれば、メモリデータ管理部１３は、システムの状態の変化を渇し、変化を検出すると、システム記憶部５を確認するステップＳ１およびステップＳ２の処理を繰返す。メモリデータ管理部１３は、たとえば１ｍｓおきにシステムの状態を監視し変化を検出する。これによって、システム記憶部５の空き容量が予め定める量以上から、予め定める量未満になると、メモリデータ管理部１３が予め定める量未満になったことを迅速に検出して、システム記憶部５の空き容量を迅速に増加させることができる。
【００５７】
またメモリデータ管理部１３は、システム記憶部５の空き容量を検出して、空き容量が無くなったときに、空き容量が無くなったことを表す情報を、主制御部１４に与える。主制御部１４は、メモリデータ管理部１３によって与えられる空き容量が無くなったことを表す情報を受取ると、第１〜第３のデータ入力部３１〜３３によって入力されるデータをシステム記憶部５に記憶することができないと判断して、原稿読取モードであれば、原稿２１の読取を停止して、画像表示部１１に空き容量が無くなったことを表す情報を表示させ、ファクシミリメモリ受信モードであれば、受信した画像データのうちシステム記憶部５に記憶することができない画像データを、印刷部６に与えて印刷させて、画像表示部１１に空き容量が無くなったことを表す情報を表示させ、留守番録音モードであれば、掛け直しを促すメッセージ音声データを、伝送路２３に送出させて、画像表示部１１に空き容量が無くなったことを表す情報を表示させ、電話番号およびファクシミリ番号記憶モードであれば、画像表示部１１に空き容量が無くなったことを表す情報を表示させるように装置の各部を制御する。システム記憶部５の空き容量が無くなると、各動作モードにおいて処理を継続することができなくなるので、各動作モードにおいて処理を規制する、すなわち動作を停止する必要があるが、情報処理装置１では、システム記憶部５の表示用データ記憶領域２２の容量を減少させて、限られた容量のシステム記憶部５の空き容量を増加させることができるので、前記動作モードにおける入力処理の規制を緩和することができ、画像表示部１１に画像を表示させながらも、各動作モードにおける処理を維持して継続することができる。
【００５８】
図３は、前述したステップＳ３において、メモリデータ管理部１３が画像データのデータ量を低減する予め定めるデータ処理を説明する図である。図３（１）は、データ量を低減させる前の画像データの各画素の階調値を表す図であり、図３（２）はデータ量を低減させた後の画像データの各画素の階調値を表す図である。本実施の形態ではメモリデータ管理部１３は、画像表示部１１によって表示される画像の階調数を低減するように、表示用データ記憶領域２２に記憶される画像データのデータ量を変更する。図３（１）および（２）において、マトリクス状の各枠に囲まれた部分が、１フレームの各画素を表し、各枠内に記載される数値は、赤色（Ｒ）、緑色（Ｇ）および青色（Ｂ）の階調値を表す。画像表示部１１に表示される画像の各画素の色は、赤色、緑色および青色の組合せによって表される。ここでは赤色の階調数を５とし、緑色の階調数を６とし、青色の階調数を５としている。したがって１画素のデータのデータ量は、赤色が５ビット（ｂｉｔ）で表され、緑色が６ビット（ｂｉｔ）で表され、青色が５ビット（ｂｉｔ）で表されるので、１６ビット（ｂｉｔ）となる。図３において、赤色の階調値をａ（ａは自然数）とし、緑色の階調値をｂ（ｂは自然数）とし、青色の階調値をｃ（ｃは自然数）とした場合では、この画素の階調値を「（ａ，ｂ，ｃ）」と表記している。
【００５９】
画像表示部１１によって表示される画像の画素数が、Ｎ画素×Ｍ画素（ＮおよびＭは、自然数）であるとき、１画面分の画像データのデータ量は、Ｎ×Ｍ×１６ｂｉｔとなる。ステップＳ０における表示用データ記憶領域２２の容量は、Ｎ×Ｍ×１６ｂｉｔである。本実施の形態では、画像表示部１１の表示サイズがＶＧＡ（Video Graphics Array）サイズ（６４０画素×４８０画素）であって、たとえば６５５３６（＝６５ｋ）色で表されるカラー画像を、同じサイズであり、単色で表される２値画像に変換する。６５ｋ色のカラー画像のデータ量は、６４０×４８０×１６ビット＝６１４.４キロバイト（ＫＢ）となる。また２値画像のデータ量は、６４０×４８０×１ビット（ｂｉｔ）＝３８．４キロバイト（ＫＢ）となる。ここでは、２値画像は、赤色、緑色および青色うち、緑色のみによって表される。カラー画像を、緑色の２値画像に変更する場合、赤色および青色のデータは必要ない。また緑色の階調値が３以下の画素では、２値画像において階調値を０とし、階調値が３を超える画素では、２値画像において階調値を１とする。２値画像では、１画素を１６ビットではなく、１ビットで表すことができるので、１画面分の画像データにおいてデータ量をカラー画像の１／１６に低減することができる。本実施例では、表示用データ記憶領域２２の容量を減少させることによって、システム記憶部５に追加して確保することができた容量は、６１４．４ＫＢ−３８.４ＫＢ＝５７６ＫＢである。表示制御部１２は、低減された表示用データ記憶領域２２のデータフォーマットに応じて、画像表示部１１を制御して画像を表示する。
【００６０】
以上のように情報処理装置１では、システム記憶部５の空き容量が、予め定める値未満になったときに、表示用データ記憶領域２２のデータ量を低減させることができ、これに伴ってシステム記憶部５のうち表示用データ記憶領域２２を除く部分の容量が増加するので、システム記憶部５における第１〜第３のデータ入力部３１〜３３によって入力されたデータを記憶する領域を増加することができる。したがって記憶部５の記憶容量を増加させなくても、システム記憶部５にデータを記憶させる処理の制約を緩和させることができ、第１〜第３のデータ入力部３１〜３３によって入力されるデータをより多くシステム記憶部５に記憶させることができる。
【００６１】
また表示される画像の階調数を低減するように、表示用データ記憶領域２２に記憶される画像データのデータ量を低減させて、表示用データ記憶領域２２の容量を減少させるので、画像表示部１１に表示される画像のサイズはそのままで、画像データのデータ量を低減して、システム記憶部５における空き容量を増加させることができる。画像データのデータ量は、この画像データによって表される画像の階調数が多くなればなるほど大きくなる。画像の諧調数を低減するように、画像データのデータ量を変更するという簡単な処理によって、画像データのデータ量を低減することができるので、メモリデータ管理部１３は、システム記憶部５の空き容量が予め定める量未満になったときに迅速に、システム記憶部５の空き容量を増加させることができ、画像表示部１１に表示される画像を円滑に切替えることができる。
【００６２】
情報処理装置１では、メモリデータ管理部１３が監視しているシステム記憶部５の空き容量が、予め定める値以上になったと判断すると、表示用データ記憶領域２２の容量を拡大する。表示データ記憶領域２２の容量を拡大する処理は、前記表示データ記憶領域２２の容量を減少させる処理と反対の処理である。表示データ記憶領域２２の容量を拡大するときに、２値画像のデータを記憶することができる容量６４０×４８０×１ビット（ｂｉｔ）＝３８．４を６５ｋ色のカラー画像のデータを記憶することができる容量６４０×４８０×１６ビット＝６１４.４キロバイト（ＫＢ）にする。
【００６３】
表示用データ記憶領域２２を縮小した後、システム記憶部５に空き容量が無くなったとき、主制御部８は、表示制御部１２を制御して、システム記憶部５に記憶される空き容量が無いことを表す画像データを画像データ記憶領域２２に記憶させ、表示制御部１２が、画像表示部１１にシステム記憶部５に空き容量が無いことを表す画像を表示させる。これによって、利用者にシステム記憶部５の空き容量が無いことを報知することができる。操作入力部１５には、システム記憶部５に記憶されるデータを消去する指令を入力する消去指令入力キーが設けられる。消去指令入力キーが操作されることによって、主制御部１４は、システム記憶部５に記憶されるデータを消去する。これによって、システム記憶部５の空き容量を増加させることができる。
【００６４】
本発明の他の実施の形態の情報処理装置では、前述した図３に示すフローチャートのステップＳ３において、画像表示部１１によって表示される画像のサイズを１フレーム単位で縮小する予め定めるデータ処理によって、表示用データ記憶領域２２に記憶される画像データのデータ量を低減させてもよい。本実施の形態の情報処理装置と、前述の実施の形態の情報処理装置１とは、同様の構成であり、画像データのデータ量を低減する予め定めるデータ処理が異なるのみであるので、同様の構成には同様の参照符号を付して、重複する説明を省略する。
【００６５】
図４は、本実施の形態において、メモリデータ管理部１３が画像データのデータ量を低減する処理を説明する図である。図４（１）は、データ量を低減させる前の画像データのサイズを表す図であり、図４（２）はデータ量を低減させた後の画像データの各画素のサイズを表す図である。図４（１）および（２）において、マトリクス状の各枠に囲まれた部分が、１フレームの各画素を表し、各枠内の数値は、赤色（Ｒ）、緑色（Ｇ）および青色（Ｂ）の階調値を表す。画像表示部１１に表示される画像の各画素の色は、赤色、緑色および青色の組合せによって表される。ここでは赤色の階調数を５とし、緑色の階調数を６とし、青色の階調数を５としている。したがって１画素のデータのデータ量は、赤色が５ｂｉｔで表され、緑色が６ｂｉｔで表され、青色が５ｂｉｔで表されるので、１６ｂｉｔとなる。図４において、赤色の階調値をａ（ａは自然数）とし、緑色の階調値をｂ（ｂは自然数）とし、青色の階調値をｃ（ｃは自然数）とした場合では、この画素の階調値を「（ａ，ｂ，ｃ）」と表記している。
【００６６】
画像表示部１１によって表示される画像の画素数が、Ｎ画素×Ｍ画素（ＮおよびＭは、自然数）であるとき、ステップＳ０における表示用データ記憶領域２２の容量は、Ｎ×Ｍ×１６ｂｉｔである。本実施の形態では、画像表示部１１の表示サイズがＶＧＡサイズであるとして、データ量を低減させた画像データを画像表示部１１に画像として表示させたサイズをＮ×ｍ画素（Ｎ，ｍは自然数）であるとする。自然数ｍは、自然数Ｍよりも小さく選ばれる。たとえば、Ｎ＝６４０、ｍ＝８とすると、表示用データ記憶領域２２の容量は、６４０×８×１６ｂｉｔ＝１０．２ＫＢ（キロバイト）となる。本実施例では、表示用データ記憶領域２２の容量を低減させることによって、システム記憶部５に追加して確保することができる容量は、６１４．４ＫＢ−１０．２ＫＢ＝６０４．２ＫＢとなる。縮小された表示用データ記憶領域２２の容量は、システム記憶部５に空き容量が無いことを表す画像を表す画像データを記憶可能に選ばれる。
【００６７】
本発明のさらに他の実施の形態の情報処理装置では、前述した図２のフローチャートのステップＳ３において、画像表示部１１によって表示される画像の階調数を１フレーム単位で低減し、かつサイズを１フレーム単位で縮小する予め定めるデータ処理を行って、表示用データ記憶領域２２に記憶される画像データのデータ量を変更する。本実施の形態の情報処理装置と、前述の実施の形態の情報処理装置１とは、同様の構成であるので、同様の構成には同様の参照符号を付して、重複する説明を省略する。
【００６８】
図５は、本実施の形態において、メモリデータ管理部１３が画像データのデータ量を低減する処理を説明する図である。図５（１）は、データ量を低減させる前の画像データのサイズを表す図であり、図５（２）はデータ量を低減させた後の画像データの各画素のサイズを表す図である。図５（１）および（２）において、マトリクス状の各枠に囲まれた部分が、１フレームの各画素を表し、各枠内の数値は、赤色（Ｒ）、緑色（Ｇ）および青色（Ｂ）の階調値を表す。画像表示部１１に表示される画像の各画素の色は、赤色、緑色および青色の組合せによって表される。ここでは赤色の階調数を５とし、緑色の階調数を６とし、青色の階調数を５としている。したがって１画素のデータのデータ量は、赤色が５ビット（ｂｉｔ）で表され、緑色が６ｂｉｔで表され、青色が５ｂｉｔで表されるので、１６ｂｉｔとなる。図５において、赤色の階調値をａ（ａは自然数）とし、緑色の階調値をｂ（ｂは自然数）とし、青色の階調値をｃ（ｃは自然数）とした場合では、この画素の階調値を「（ａ，ｂ，ｃ）」と表記している。
【００６９】
画像表示部１１によって表示される画像の画素数が、Ｎ画素×Ｍ画素（ＮおよびＭは、自然数）である場合、データ量は、Ｎ×Ｍ×１６ｂｉｔとなる。本実施の形態では、画像表示部１１の表示サイズがＶＧＡサイズであるとして、データ量を低減させた画像データを画像表示部１１に表示させた画像の階調数を２とし、データ量を低減させた画像のサイズをＮ×ｍ画素であるとする。たとえば、Ｎ＝６４０、ｍ＝８とすると、表示用データ記憶領域２２の容量は、６４０×８×１ｂｉｔ＝６４０Ｂ（バイト）となる。本実施例では、表示用データ記憶領域２２の容量を減少させることによって、システム記憶部５に追加して確保することができた容量は、６１４．４ＫＢ−６４０Ｂ＝６１３．７６ＫＢであり、追加で確保することができる空き容量をさらに拡大することができる。
【００７０】
本発明の各実施の形態の情報処理装置では、画像表示部１１に時刻を表す画像を表示する。このような時刻を表す画像は、数字を表し、前述したように階調数を低減し、または画像サイズを縮小し、あるいは階調数を低減してかつ画像サイズを縮小しても、時刻を表す情報として充分に機能する。本発明の各実施の形態の情報処理装置では、表示される画像の品位が低下しても、実用上問題の無い画像を表す画像データのデータ量を、前述した予め定めるデータ処理によって低減させる。したがって、画像表示部１１に表示される画像の品位が低下しているとしても、利用者は表示される画像の識別を行うことができる。
【００７１】
本発明のさらに他の実施の形態では、前述した各実施の形態の情報処理装置において、２値化画像処理部４によって生成された画像データ、および通信部８によって受信された画像データを、予め定める符号化方式によって、圧縮してシステム記憶部５に記憶させてもよい。このように画像データを圧縮してシステム記憶部５に記憶させることによって、システム記憶部５により多くの情報を記憶させることができる。本実施の形態では、画像表示部１１に画像を表示するときには、表示制御部１２は圧縮された画像データを伸張するデータ伸張部を有し、データ伸張部によって圧縮された画像データを伸張して、表示用データ記憶領域２２に記憶させる。
【００７２】
本発明の各実施の形態において、前述した図２に示すフローチャートのステップＳ２において、メモリデータ管理部１３が、システム記憶部５に記憶されるべきデータのデータ量に基づいて、システム記憶部５の空き容量が予め定める値未満になるか否かを予測し、システム記憶部５の空き容量が予め定める値未満にならないと判断したとき、ステップＳ２に移り、システム記憶部５の空き容量が予め定める値未満になると判断したときにステップＳ４に移る構成としてもよい。メモリデータ管理部１３は、システム記憶部５の空き容量を、システム記憶部５に記憶されるべきデータのヘッダに記憶されるデータ量を表す情報に基づいて予測する。システム記憶部５には、データファイル単位でデータが記憶される。データファイルには、そのヘッダにデータファイルのデータ量を表す情報が付加されている。メモリデータ管理部１３は、このデータファイルのヘッダに付加されているデータ量を表す情報を取得して、この取得したデータ量を表す情報から、システム記憶部５にこのデータ量のデータを記憶させたときの空き容量を算出し、算出した空き容量が、予め定める量未満になる場合、システム記憶部５の空き容量が予め定める値未満になると判断する。
【００７３】
システム記憶部５にデータを記憶させている途中で表示用データ記憶部２２の容量を縮小する処理を行う場合には、システム記憶部５にデータを記憶させる動作を一端停止する必要があるが、本実施の形態では、メモリデータ管理部１３が、システム記憶部５の空き容量が予め定める値未満になるか否かを予測することによって、システム記憶部５に記憶すべきデータが記憶される前に、表示用データ記憶部２２の容量を縮小する処理を行うことができる。したがって、システム記憶部５にデータを記憶する記録動作を途中で停止する必要がないので、処理効率を向上させることができる。
【００７４】
また本発明の各実施の形態において、前述した図２に示すフローチャートのステップＳ２において、メモリデータ管理部１３が、システム記憶部５に単位時間当たりに入力されるデータ量に基づいて、システム記憶部５の空き容量が予め定める値未満になるか否かを予測し、システム記憶部５の空き容量が予め定める値未満にならないと判断したとき、ステップＳ２に移り、システム記憶部５の空き容量が予め定める値未満になると判断したときにステップＳ４に移る構成としてもよい。このような構成とすることによって、システム記憶部５の空き容量が実際に予め定める値未満になる前に、表示用データ記憶部２２の容量を縮小して、空き容量を増加することができる。
【００７５】
本発明の各実施の形態では、情報処理装置を電話機能付きファクシミリ装置として実現しているが、本発明のさらに他の実施の形態において情報処理装置は、これに限定されず、画像を表示する画像表示部とを有し、システムメモリとビデオメモリとが併用されるＵＭＡ（Unified Memory Architecture）を有するパーソナルコンピュータに適用されてもよい。
【００７６】
本発明の各実施の形態において、前記予め定める値は、操作入力部１５によって利用者が設定してもよい。前記予め定める値として、システム（情報処理装置）に用いる液晶表示装置の仕様、およびバッファを共有するアプリケーションがシステムに応じて差異があるため、そのシステムに応じた適切な値を設定するようにしておく必要があるが、利用者が予め定める値を設定することができるので、たとえば、従来、留守録音のデータおよび、受信データ等、不在時のときにメモリーフルとなることにより失ってしまったデータを確保することが可能となる。
【００７７】
本発明の各実施の形態において、表示用データ記憶部２２には、複数のフレーム分の画像データ、すなわち複数画面分の画像データが記憶されてもよい。この場合では、表示用データ記憶部２２の容量を縮小するとき、メモリデータ管理部１３は各フレームの画像データに予め定める処理を行うことによって画像データのデータ量を低減することによって、同様の効果を得ることができる。
【図面の簡単な説明】
【００７８】
【図１】本発明の実施の一形態の情報処理装置１の構成を示すブロック図である。
【図２】システム記憶部５にデータが記憶されるときのメモリデータ管理部１３の動作処理を示すフローチャートである。
【図３】ステップＳ３において、メモリデータ管理部１３が画像データのデータ量を低減する予め定めるデータ処理を説明する図である。
【図４】メモリデータ管理部１３が画像データのデータ量を低減する予め定めるデータ処理を説明する図である。
【図５】メモリデータ管理部１３が画像データのデータ量を低減する予め定めるデータ処理を説明する図である。
【符号の説明】
【００７９】
１  情報処理装置
５  システム記憶部
１１  画像表示部
１２  表示制御部
１３  メモリデータ管理部
２２  表示用データ記憶領域
３１  第１のデータ入力部
３２  第２のデータ入力部
３３  第３のデータ入力部
【図１】
2007108353.tif 000003
【図２】
2007108353.tif 000004
【図３】
2007108353.tif 000005
【図４】
2007108353.tif 000006
【図５】
2007108353.tif 000007